(57)【特許請求の範囲】
【請求項１】
互いに対向して立設された左右の側壁を持つ支持台と、
前記左右の側壁の間に取り出し可能に収容されるグリルと、
前記グリルを前記左右の側壁の間にてそれらの側壁の上部に固定するグリル固定手段と、
前記左右の側壁の間に取り出し可能に収容されるグレーチングと、
前記グレーチングを前記左右の側壁の間にてそれらの側壁の下部に固定するグレーチング固定手段と、
前記左右の側壁の上方に位置する座部および、その座部に固定されるとともに前記左右の側壁の内側に前記グリルと前記グレーチングとを跨いで、支持台外に取り出し可能に収容される脚部を有する着脱式椅子と、
を具えてなる、かまど兼用椅子。
【請求項２】
前記グリル固定手段は、前記左右の側壁の上部に内向きに形成された段部である、請求項１に記載のかまど兼用椅子。
【請求項３】
前記グレーチング固定手段は、前記左右の側壁の下部に内向きに形成された段部である、請求項１または２に記載のかまど兼用椅子。
【請求項４】
前記左右の側壁の間に取り出し可能に収容される風防と、
前記風防を前記左右の側壁の間にてそれらの側壁の奥部に固定する風防固定手段と、
をさらに具える、請求項１〜３のいずれかに記載のかまど兼用椅子。
【請求項５】
前記左右の側壁の間に奥壁を具える、請求項１〜３のいずれかに記載のかまど兼用椅子。
【請求項６】
前記椅子の前記脚部の下端部は、外側に広がる折り畳み式の足を有する、請求項１〜５のいずれかに記載のかまど兼用椅子。
【請求項７】
前記着脱式椅子は、スツールまたはベンチである、請求項１〜６のいずれかに記載のかまど兼用椅子。
【発明の詳細な説明】
【技術分野】
【０００１】
本発明は、災害時等にかまどとして用い得るかまど兼用椅子に関するものである。
【背景技術】
【０００２】
災害時等にかまどとして用い得るかまど兼用椅子としては従来、例えば特許文献１記載のものが知られている。このかまど兼用椅子は、手前部と奥部と上部とに開口部を持つ箱状の支持台と、その支持台の内壁の上部と下部とに係止片で着脱可能に支持された支持材と、その支持台内に取り出し可能に収容される釜および二枚の穴あきカバー板と、その支持台上に着脱可能に取り付けられる座板とを具えており、震災時には座板を外して、支持台内から釜を取り出し、二枚の穴あきカバー板を下部と上部の支持材上にそれぞれ載せて下の穴あきカバー板をグレーチングとするとともに上の穴あきカバー板をグリルとするか、または二枚の穴あきカバー板の一枚を下部の支持材上に載せてその穴あきカバー板をグレーチングとするとともに上部の支持材で釜を支持することにより、かまどとして用いることができるものである。
【先行技術文献】
【特許文献】
【０００３】
【特許文献１】登録実用新案第３０５３１８７号公報
【発明の概要】
【発明が解決しようとする課題】
【０００４】
しかしながら、上記従来のかまど兼用椅子では、かまどとして使用する際に、外した座板は脚部がないので椅子として使用できないため、使用者は中腰のままで調理をせざるを得ず、使い勝手が良くないという問題があった。
【０００５】
それゆえ本発明は、かまどとして使用する際に、支持台から外した座部を単独で椅子として使用できるようにすることで、使用者が椅子に座って調理できるようにして使い勝手を良くしたかまど兼用椅子を提供することを目的としている。
【課題を解決するための手段】
【０００６】
本発明は、上記課題を有利に解決するためになされたものであり、本発明のかまど兼用椅子は、互いに対向して立設された左右の側壁を持つ支持台と、前記左右の側壁の間に取り出し可能に収容されるグリルと、前記グリルを前記左右の側壁の間にてそれらの側壁の上部に固定するグリル固定手段と、前記左右の側壁の間に取り出し可能に収容されるグレーチングと、前記グレーチングを前記左右の側壁の間にてそれらの側壁の下部に固定するグレーチング固定手段と、前記左右の側壁の上方に位置する座部および、その座部に固定されるとともに前記左右の側壁の内側に前記グリルと前記グレーチングとを跨いで、支持台外に取り出し可能に収容される脚部を有する着脱式椅子と、を具えてなるものである。
【発明の効果】
【０００７】
かかるかまど兼用椅子にあっては、支持台の左右の側壁の上方に位置する、着脱式椅子の座部に固定された脚部が、それら左右の側壁の内側にグリルとグレーチングとを跨いで、支持台外に取り出し可能に収容されるので、通常時は、支持台がその脚部または座部を支持することで、着脱式椅子が椅子として使用可能となっており、一方、災害時等に、かまどとして使用する際には、座部を持ち上げて脚部を支持台から引き出し、その脚部を地面等に降ろすと、その脚部が座部を支持するので、着脱式椅子が単独で椅子として使用可能となり、また支持台の左右の側壁の間にはグリルとグレーチングとが収容されているので、それらを取り出して、グレーチングを左右の側壁の間にて側壁下部にグレーチング固定手段で固定するとともに、グリルを左右の側壁の間にて側壁上部にグリル固定手段で固定することで支持台側をかまどとして使用することが可能になる。
【０００８】
従って、本発明のかまど兼用椅子によれば、かまどとして使用する際に、支持台から外した着脱式椅子を単独で椅子として使用できることから、使用者がその着脱式椅子に座って調理できるので、かまどの使い勝手を大きく改善することができる。
【０００９】
なお、本発明のかまど兼用椅子においては、前記グリル固定手段は、前記左右の側壁の上部に内向きに形成された段部であってもよく、また前記グレーチング固定手段は、前記左右の側壁の下部に内向きに形成された段部であっても良い。このように、別部材を用いずに側壁に段部を形成してグリルやグレーチングを支持すれば、部品点数を減らしてコストを削減できるのに加えて、高い支持強度を容易に得ることができる。
【００１０】
また、本発明のかまど兼用椅子においては、前記左右の側壁の間に取り出し可能に収容される風防と、前記風防を前記左右の側壁の間にてそれらの側壁の奥部に固定する風防固定手段とをさらに具えるか、または前記左右の側壁の間に奥壁を具えても良く、このようにすれば、左右の側壁の間に風が入り込むのを防止し得て、加熱調理用の可燃物の燃焼を安定させることができる。
【００１１】
さらに、本発明のかまど兼用椅子においては、前記椅子の前記脚部の下端部は、外側に広がる折り畳み式の足を有していても良く、このようにすれば、支持台から外した着脱式椅子を単独で椅子として使用する際に、着脱式椅子を安定させることができる。
【００１２】
そして、本発明のかまど兼用椅子においては、前記着脱式椅子は、スツールまたはベンチであると、公園等に設置するのに好適である。
【図面の簡単な説明】
【００１３】
【図１】（ａ），（ｂ），（ｃ）および（ｄ）は、本発明のかまど兼用椅子の一実施例を示す正面図、平面図、側面図および（ａ）中のＡ−Ａ線に沿う、風防パネルを省略した断面図である。
【図２】（ａ），（ｂ），（ｃ）および（ｄ）は、上記実施例のかまど兼用椅子の着脱式椅子を示す正面図、平面図、側面図および脚部下端の足を示す下面図である。
【図３】（ａ），（ｂ）および（ｃ）は、上記実施例のかまど兼用椅子のグリルを示す正面図、平面図および側面図である。
【図４】（ａ），（ｂ）および（ｃ）は、上記実施例のかまど兼用椅子のグレーチングを示す正面図、平面図および側面図である。
【図５】（ａ）および（ｂ）は、上記実施例のかまど兼用椅子の風防パネルを示す平面図および側面図である。
【図６】上記実施例のかまど兼用椅子をかまどとして使用する際のかまどの状態を示す、図１（ｄ）中のＢ−Ｂ線に沿う断面の位置で見た説明図である。
【図７】上記実施例のかまど兼用椅子をかまどとして使用する際のかまどと着脱式椅子との使用状態を示す説明図である。
【図８】（ａ），（ｂ），（ｃ），（ｄ）および（ｅ）は、本発明のかまど兼用椅子の他の一実施例を示す正面図、平面図、側面図、（ｂ）と同方向から支持台内部を見た透視図および（ｃ）と同方向から支持台内部を見た断面図である。
【図９】（ａ），（ｂ），（ｃ）および（ｄ）は、上記実施例のかまど兼用椅子の着脱式椅子を示す正面図、平面図、側面図および背面図である。
【図１０】上記実施例のかまど兼用椅子のグリルを示す平面図である。
【図１１】上記実施例のかまど兼用椅子のグレーチングを支持台内に配置した状態で示す平面図である。
【図１２】（ａ），（ｂ）および（ｃ）は、上記実施例のかまど兼用椅子をかまどとして使用する際のかまどの状態を示す、図８（ｄ）中のＣ−Ｃ線に沿う断面の位置で見た断面図、平面図および図８（ｅ）と同様の位置での断面図である。
【図１３】上記実施例のかまど兼用椅子をかまどとして使用する際のかまどと着脱式椅子との使用状態を示す説明図である。
【発明を実施するための形態】
【００１４】
以下、本発明の実施の形態を実施例によって、図面に基づき詳細に説明する。
ここに、図１（ａ），（ｂ），（ｃ）および（ｄ）は、本発明のかまど兼用椅子の一実施例を示す正面図、平面図、側面図および（ａ）中のＡ−Ａ線に沿う、風防パネルを省略した断面図、図２（ａ），（ｂ），（ｃ）および（ｄ）は、上記実施例のかまど兼用椅子の着脱式椅子を示す正面図、平面図、側面図および脚部下端の足を示す下面図、図３（ａ），（ｂ）および（ｃ）は、上記実施例のかまど兼用椅子のグリルを示す正面図、平面図および側面図、図４（ａ），（ｂ）および（ｃ）は、上記実施例のかまど兼用椅子のグレーチングを示す正面図、平面図および側面図、図５（ａ）および（ｂ）は、上記実施例のかまど兼用椅子の風防パネルを示す平面図および側面図、図６は、上記実施例のかまど兼用椅子をかまどとして使用する際のかまどの状態を示す、図１（ｄ）中のＢ−Ｂ線に沿う断面の位置で見た説明図、図７は、上記実施例のかまど兼用椅子をかまどとして使用する際のかまどと着脱式椅子との使用状態を示す説明図であり、図中符号１は、上記実施例のかまど兼用椅子を示す。
【００１５】
図１に示すようにこの実施例のかまど兼用椅子１は、ここでは互いに対向するとともに互いに独立して立設された例えば擬石製の左右二つの側壁２と、それらの側壁２の下端部にそれぞれ一体的に設けられた、地面Ｇの下の地中に埋設される例えばコンクリート製の基礎３とを有する左右二つの支持台４と、それらの支持台４の左右の側壁２の間に取り出し可能に収容される例えばステンレス鋼製の長方形の網状のグリル５と、そのグリル５を左右の側壁２の間にてそれらの側壁２の上部に固定する、グリル固定手段としての、それらの側壁２の互いに対向する内向きの面２ａの上部に形成された段部２ｂと、左右の側壁２の間に取り出し可能に収容されるこれも例えばステンレス鋼製の、グリル５より少し短い長方形の網状のグレーチング６と、そのグレーチング６を左右の側壁２の間にてそれらの側壁２の下部に固定する、グレーチング固定手段としての、それらの側壁２の互いに対向する内向きの面２ａの下部に形成されて上側の段部２ｂより内側に迫り出した段部２ｃと、左右の側壁２の上方に位置する例えば再生木材板製の座部７ａおよび、その座部７ａに例えば角型鋼管製の枠状フレーム７ｂを介して固定されるとともに左右の側壁２の内側にグリル５とグレーチング６とを概ね跨いで取り出し可能に収容される例えば角型鋼管製の四本の脚部７ｃを有するベンチ型の着脱式椅子７とを具えている。
【００１６】
ここで、左右の側壁２の互いに対向する内向きの面２ａの、側壁２の手前（正面）向きの面と奥（背面）向きの面とにそれぞれ隣接する位置には、着脱式椅子７の上記四本の脚部７ｃを取り出し可能に収容するために、図１（ａ），（ｄ）に示すように、各々側壁２の上側の段部２ｂから下側の段部２ｃまで上下方向に延在するように二本の縦溝部２ｄが形成されている。
【００１７】
また、グリル５は、長手方向両端部に概略グレーチング６の厚さに等しい高さで平面形状がコ字状の脚部５ａを設けられるとともに、それらの脚部５ａの内側に網のない部分５ｂを設けられ、図１（ａ），（ｄ）に示すように、グリル５とグレーチング６とを左右の側壁２の間に収容する際には、グリル５を裏返して脚部５ａが上向きになるように水平にし、グリル５の上にグレーチング６を水平に重ねるとともに、グレーチング６よりも両側に突き出たグリル５の両端部の網のない部分５ｂに、着脱式椅子７の左右端部のそれぞれの二本の脚部７ｃを挿通する。これにより着脱式椅子７の四本の脚部７ｃは、概略グリル５とグレーチング６とを跨いだ状態で左右の側壁２の二本の縦溝部２ｄ内に収容され、それらの脚部７ｃの下端は、下側の段部２ｃと同じ高さの、縦溝部２ｄの下端部に支持される。
【００１８】
一方、着脱式椅子７の上記四本の脚部７ｃは各々、図２（ｃ），（ｄ）に示すように、ヒンジ７ｄでそれらの脚部７ｃの下端部に後端部を回動可能に結合された折りたたみ式の足７ｅを有しており、これらの足７ｅは、脚部７ｃを側壁２の縦溝部２ｄ内に収容する際には図中破線で示すように脚部７ｃに沿わせて折り畳み、着脱式椅子７を独立して使用する際には図中実線で示すように外側に回して広げて用いる。
【００１９】
この実施例のかまど兼用椅子１はさらに、風防としての金属製の概略長方形状の風防パネル８と、その風防パネル８を左右の側壁２の間にてそれらの側壁２の奥部に固定する、風防固定手段としての、左右の側壁２に二本ずつ形成された上記縦溝部２ｄとを具え、風防パネル８はその長手方向両端部に、着脱式椅子７の脚部７ｃとの干渉を避けるための切り欠き部８ａを形成されており、この風防パネル８を左右の側壁２の間に収容する際には、グレーチング６の上に風防パネル８を水平に重ねて、着脱式椅子７の枠状フレーム７ｂとグレーチング６との間に配置する。この時、着脱式椅子７の脚部７ｃは、風防パネル８の切り欠き部８ａ内に位置して風防パネル８と掛合し、風防パネル８の抜け出しを防止する。なお、グレーチング６とグリル５との何れかに一方にも、他方の網目と係合する図示しない突起が設けられており、その掛合によりグレーチング６の抜け出しを防止する。
【００２０】
かかる実施例のかまど兼用椅子１にあっては、左右の支持台４の側壁２の上方に位置する、着脱式椅子７の座部７ａに固定された、着脱式椅子７の脚部７ｃが、それら左右の側壁２の内側にグリル５とグレーチング６とを跨いで取り出し可能に収容されるので、通常時は、図１に示すように、支持台４がその脚部７ｃを支持することで、着脱式椅子７がベンチとして使用可能となっており、一方、災害時等にかまどとして使用する際には、座部７ａを持ち上げて脚部７ｃを支持台４から引き出し、その脚部７ｃを地面等に降ろすと、図２に示すように、その脚部７ｃが座部７ａを支持するので、着脱式椅子７が単独でベンチとして使用可能となり、また左右の支持台４の側壁２の間には、図１（ａ），（ｄ）に示すように、グリル５とグレーチング６とが収容されているので、それらを取り出して、図６に示すように、グレーチング６を左右の側壁２の間にて側壁２の下部に段部２ｃで掛止固定するとともに、グリル５を左右の側壁２の間にて側壁２の上部に段部２ｂで掛止固定し、さらに左右の支持台４の側壁２の奥側の縦溝部２ｄの奥側の内壁面と、グリル５およびグレーチング６の奥側の外面との間に風防パネル８を立てて配置することで、支持台４側をかまどとして使用することが可能になり、グリル５の上に鍋Ｐを載せるとともに、グレーチング６の上に薪や炭等の可燃物を置いて燃やすことで、鍋Ｐ内の食材を加熱調理することができる。
【００２１】
従って、この実施例のかまど兼用椅子１によれば、図７に示すように、支持台４側をかまどとして使用する際に、支持台４から外した着脱式椅子７を単独でベンチとして使用できることから、使用者がその着脱式椅子７に座って調理できるので、かまどの使い勝手を大きく改善することができる。
【００２２】
しかも、風防パネル８を具えているので、左右の側壁２の間に風が入り込むのを防止し得て、加熱調理用の可燃物の燃焼を安定させることができる。また、足７ｅを具えているので、多くの人が座っても着脱式椅子７を安定させることができる。
【００２３】
図８（ａ），（ｂ），（ｃ），（ｄ）および（ｅ）は、本発明のかまど兼用椅子の他の一実施例を示す正面図、平面図、側面図、（ｂ）と同方向から支持台内部を見た透視図および（ｃ）と同方向から支持台内部を見た断面図、図９（ａ），（ｂ），（ｃ）および（ｄ）は、上記実施例のかまど兼用椅子の着脱式椅子を示す正面図、平面図、側面図および背面図、図１０は、上記実施例のかまど兼用椅子のグリルを示す平面図、図１１は、上記実施例のかまど兼用椅子のグレーチングを支持台内に配置した状態で示す平面図、図１２（ａ），（ｂ）および（ｃ）は、上記実施例のかまど兼用椅子をかまどとして使用する際のかまどの状態を示す、図８（ｄ）中のＣ−Ｃ線に沿う断面の位置で見た断面図、平面図および図８（ｅ）と同様の位置での断面図、図１３は、上記実施例のかまど兼用椅子をかまどとして使用する際のかまどと着脱式椅子との使用状態を示す説明図であり、図中符号１１は、上記実施例のかまど兼用椅子を示す。
【００２４】
図８に示すように、この実施例のかまど兼用椅子１１は、ここでは互いに対向するとともに互いに一体に形成されて立設された例えば擬石製の左右二つの側壁１２と、それらの側壁１２の下端部に一体的に設けられた、地面Ｇの下の地中に埋設される例えばコンクリート製の基礎１３とを有する一つの支持台１４と、その支持台１４の左右の側壁１２の間に取り出し可能に収容される例えば鋳鋼製の五徳状のグリル１５と、そのグリル１５を左右の側壁１２の間にてそれらの側壁１２の上部に固定する、グリル固定手段としての、それらの側壁１２の互いに対向する内向きの面１２ａの上部に形成された段部１２ｂと、左右の側壁１２の間に取り出し可能に収容されるこれも例えば鋳鋼製の、長方形の網状のグレーチング１６と、そのグレーチング１６を左右の側壁１２の間にてそれらの側壁１２の下部に固定する、グレーチング固定手段としての、それらの側壁１２の互いに対向する内向きの面１２ａの下部に形成されて上側の段部１２ｂより内側に迫り出した段部１２ｃと、左右の側壁１２の上方に位置する例えば再生木材板製の座部１７ａおよび、その座部１７ａに例えば角型鋼管製の枠状フレーム１７ｂを介して固定されるとともに左右の側壁１２の内側にグリル１５とグレーチング１６とを跨いで取り出し可能に収容される例えば角型鋼管製の四本の脚部１７ｃを有するスツール型の着脱式椅子１７とを具えている。
【００２５】
ここで、グリル１５は、図１０および図１２（ｂ）に示すように、直径２１０ｍｍ（７Ｌ）の寸胴鍋と、直径４００ｍｍ（４５Ｌ）の寸胴鍋との何れも載置可能なように放射状に延在する三本の爪１５ａを設けられており、図８（ｄ），（ｅ）に示すように、グリル１５とグレーチング１６とを左右の側壁１２の間に収容する際には、グリル１５とグレーチング１６とを重ねるとともに斜めにして、着脱式椅子１７の四本の脚部７ｃの間に配置する。これにより着脱式椅子１７の四本の脚部１７ｃは、グリル１５とグレーチング１６とを跨いだ状態で左右の側壁１２の間に収容され、それらの脚部１７ｃの下端は、下側の段部１２ｃよりも低いかまど底部１２ｄに支持される。
【００２６】
一方、着脱式椅子１７の上記四本の脚部１７ｃのうち手前側の二本には、図９（ａ），（ｄ）に示すように、平常時から注意を促すために災害時にかまどになる旨のサインが正面に表示されるとともに、上方から見てコ字状に両側部を折り曲げられた表示板１７ｄが設けられており、この表示板１７ｄは、脚部１７ｃを左右の側壁１２の間に収容する際には図８（ａ）に示すように、左右の側壁１２の間の手前側の開口部を内側から閉鎖する蓋となる。
【００２７】
この実施例のかまど兼用椅子１１はさらに、支持台１４の左右の側壁１２の間にそれらの側壁１２と一体に風除けのための奥壁１８を具えている。
【００２８】
かかる実施例のかまど兼用椅子１１にあっては、支持台１４の左右の側壁１２の上方に位置する、着脱式椅子１７の座部１７ａに固定された、着脱式椅子１７の脚部１７ｃが、それら左右の側壁１２の内側にグリル１５とグレーチング１６とを跨いで取り出し可能に収容されるので、通常時は、図８に示すように、支持台１４がその脚部１７ｃを支持することで、着脱式椅子１７がスツールとして使用可能となっており、一方、災害時等にかまどとして使用する際には、座部１７ａを持ち上げて脚部１７ｃを支持台１４から引き出し、その脚部１７ｃを地面等に降ろすと、図９に示すように、その脚部１７ｃが座部１７ａを支持するので、着脱式椅子１７が単独でスツールとして使用可能となり、また支持台１４の左右の側壁１２の間には、図８（ｄ），（ｅ）に示すように、グリル１５とグレーチング１６とが収容されているので、それらを取り出して、図１２に示すように、グレーチング１６を左右の側壁１２の間にて側壁１２の下部に段部１２ｃで掛止固定するとともに、グリル１５を左右の側壁１２の間にて側壁１２の上部に段部１２ｂで掛止固定し、さらに左右の側壁１２間の奥側は奥壁１８で覆われているので、支持台１４側をかまどとして使用することが可能になり、グリル１５の上に鍋Ｐを載せるとともに、グレーチング１６の上に薪や炭等の燃焼物を置いて燃やすことで、鍋Ｐ内の食材を加熱調理することができる。
【００２９】
従って、この実施例のかまど兼用椅子１１によっても、図１３に示すように、支持台１４側をかまどとして使用する際に、支持台１４から外した着脱式椅子１７を単独でスツールとして使用できることから、使用者がその着脱式椅子１７に座って調理できるので、かまどの使い勝手を大きく改善することができる。
【００３０】
しかも、奥壁１８を具えているので、左右の側壁１２の間に風が入り込むのを防止し得て、加熱調理用の可燃物の燃焼を安定させることができる。
【００３１】
以上、図示例に基づき説明したが、本発明は上述の実施例に限定されるものでなく、特許請求の範囲の記載範囲内で適宜変更することができるものであり、例えば、支持台、着脱式椅子、グリル、グレーチングおよび風防の材質や形状は、所用に応じて適宜変更しても良い。
【００３２】
また、着脱式椅子は、ベンチやスツール以外のもの、あるいは背凭れ付きのものであっても良く、グリル固定手段やグレーチング固定手段は、グリルやグレーチングに例えば折り畳み可能に設けた脚部でも良い。
【００３３】
さらに、通常時の着脱式椅子の支持は、座部またはそれを脚部に結合するフレームを支持台の上端面で支持するようにしても良く、あるいは支持台の内向きの壁面と脚部とを密接させて、脚部の倒れ防止を図っても良い。
【００３４】
そして、スツール型の着脱式椅子１７の脚部にも、折り畳み式の足７ｅを設けても良い。
【産業上の利用可能性】
【００３５】
かくして本発明のかまど兼用椅子によれば、かまどとして使用する際に、支持台から外した着脱式椅子を単独で椅子として使用できることから、使用者がその着脱式椅子に座って調理できるので、かまどの使い勝手を大きく改善することができる。
【符号の説明】
【００３６】
１，１１  かまど兼用椅子
２，１２  側壁
２ａ，１２ａ  内向きの面
２ｂ，１２ｂ  上側の段部
２ｃ，１２ｃ  下側の段部
２ｄ  縦溝部
３，１３  基礎
４，１４  支持台
５，１５  グリル
５ａ  脚部
５ｂ  網のない部分
６，１６  グレーチング
７，１７  着脱式椅子
７ａ  座部
７ｂ  フレーム
７ｃ  脚部
７ｄ  ヒンジ
７ｅ  足
８  風防パネル
８ａ  切り欠き部
１２ｄ  かまど底部
１５ａ  爪
１７ｄ  表示板
１８  側板部材
Ｇ  地面
Ｐ  鍋
【図１】
0004397428.tif 000002
【図２】
0004397428.tif 000003
【図３】
0004397428.tif 000004
【図４】
0004397428.tif 000005
【図５】
0004397428.tif 000006
【図６】
0004397428.tif 000007
【図７】
0004397428.tif 000008
【図８】
0004397428.tif 000009
【図９】
0004397428.tif 000010
【図１０】
0004397428.tif 000011
【図１１】
0004397428.tif 000012
【図１２】
0004397428.tif 000013
【図１３】
0004397428.tif 000014